(57)【要約】【課題】低背化及び小面積化による小型化が実現可能であり、かつ製造時におけるコストの増大を抑制することが可能なトランス回路基板を提供する。【解決手段】トランス回路基板５０は、ボビン１を備えるトランス１００が、電源回路基板２１に搭載される構造を有する。ボビン１は、ボビン１と電源回路基板２１とを所定の間隔に設定する間隔設定部８が設けられる。また、電源回路基板２１は、電源回路基板２１にトランス１００が搭載された状態において、ボビン１に設けられる間隔設定部８が先端部分から挿入可能であるスルーホール２３が形成される。また、間隔設定部８は、円錐状の形状を有しており、電源回路基板２１の表面と平行である断面が、先端部分側より根元部分側で大きくなっている。【選択図】図１
2009123787.tif 000002
【特許請求の範囲】
【請求項１】
ボビンを備えるトランスが回路基板に搭載されているトランス回路基板であって、
上記ボビンと上記回路基板とを所定の間隔に設定する間隔設定部を備え、
上記間隔設定部は、
上記回路基板及びトランスのうちの一方に形成されていると共に、他方側に伸びる部材であり、
上記部材の先端部分から、上記回路基板及びトランスのうちの他方に設けられている穴部に挿入可能に形成されており、
上記回路基板における上記トランスの搭載面と平行である断面が、上記先端部分側より上記部材の根元部分側で大きくなっていることを特徴とするトランス回路基板。
【請求項２】
上記間隔設定部は、上記トランスのボビンに形成されており、
上記穴部は、上記回路基板に設けられていることを特徴とする請求項１に記載のトランス回路基板。
【請求項３】
上記間隔設定部は、円錐状の部材であることを特徴とする請求項１または２に記載のトランス回路基板。
【請求項４】
上記間隔設定部は、
錐台状の部材である錐台部と、
上記錐台部の上端面の一部に形成されている錐体状の部材である錐体部と、を有していることを特徴とする請求項１または２に記載のトランス回路基板。
【請求項５】
上記間隔設定部は、
複数の錐台が階段状に重なるように形成されている部材である階段状錐台部と、
上記階段状錐台部における最上段の錐台の上端面の一部に形成されている錐体状の部材である錐体部と、を有していることを特徴とする請求項１または２に記載のトランス回路基板。
【請求項６】
上記間隔設定部は、
上記根元部分から上記先端部分にかけて段階的に細くなる柱状の部材であることを特徴とする請求項１または２に記載のトランス回路基板。
【請求項７】
上記穴部は、スルーホールであることを特徴とする請求項１〜６のいずれか１項に記載のトランス回路基板。
【請求項８】
上記間隔設定部が複数個形成されており、
上記複数個の間隔設定部に対応する上記穴部が複数個形成されており、
隣り合う間隔設定部のピッチが、該隣り合う間隔設定部に対応する、隣り合う穴部のピッチと異なっていることを特徴とする請求項１〜７のいずれか１項に記載のトランス回路基板。
【請求項９】
ボビンを備えるトランスを回路基板に実装する工程を含むトランス回路基板の製造方法であって、
上記回路基板及びトランスのうちの一方に、上記ボビンと該回路基板とを所定の間隔に設定する間隔設定部を形成する工程と、
上記回路基板及びトランスのうちの他方に、穴部を形成する工程と、を含み、
上記間隔設定部を形成する工程では、該間隔設定部を、
上記回路基板及びトランスのうちの一方に形成されていると共に、他方側に伸びる部材であって、
上記部材の先端部分から、上記穴部に挿入可能に形成されており、
上記回路基板における上記トランスの搭載面と平行である断面が、上記先端部分側より上記部材の根元部分側で大きくなっている部材として形成することを特徴とするトランス回路基板の製造方法。
【請求項１０】
上記穴部を形成する工程では、上記ボビンに巻かれる巻線の太さに応じて、該穴部の口径を設定することを特徴とする請求項９に記載のトランス回路基板の製造方法。
【請求項１１】
上記間隔設定部を形成する工程では、該間隔設定部を複数個形成し、
上記穴部を形成する工程では、上記複数個の間隔設定部に対応する上記穴部を複数個形成し、
上記ボビンに巻かれる巻線の太さに応じて、隣り合う上記穴部のピッチを設定することを特徴とする請求項９または１０に記載のトランス回路基板の製造方法。
【請求項１２】
請求項１〜８のいずれか１項に記載のトランス回路基板を備えるスイッチング電源装置。
【発明の詳細な説明】
【技術分野】
【０００１】
本発明は、薄型テレビ等に使用されるスイッチング電源装置に必要な、高出力対応のスイッチング電源装置用トランスを備えるトランス回路基板に関する。特に本発明は、薄型化及び機構設計における設計自由度の向上に好適な構造を有するスイッチング電源装置用トランスを備えるトランス回路基板に関する。
【背景技術】
【０００２】
図１３、１４は、一般的なトランスの構造の一例を示す図である。なお、図１３は、ボビンへのコア搭載前における図であり、図１４は、ボビンへのコア搭載後における図である。
【０００３】
まずは、図１３を用いて、上記トランスの構造について説明する。
【０００４】
図１３によれば、スイッチング電源装置等に使用されるトランス３００ａは、ボビン２０１にコア２１１が搭載される構造を有する。ボビン２０１には、端子２０２が、該ボビン２０１から突出して設けられる。さらに、ボビン２０１は、巻線２０３、絶縁テープ２０４、及び沿面テープ２０５を備える構成である。
【０００５】
端子２０２は、例えば図示しない回路基板に固定され、該回路基板に設けられた図示しない電源と巻線２０３とを電気的に接続する。
【０００６】
巻線２０３は、ボビン２０１の図示しない筒状部に層状に巻かれる、トランス３００ａの、ひいては後述するトランス３００ｂ、３００の一次巻線及び二次巻線である。巻線２０３は、上記電源からの電源電圧が一次巻線に印加されると、二次巻線において、該電源電圧よりも高い電圧を発生させ、後段の回路（スイッチング電源装置においては例えば、図示しない二次巻線側の整流回路）に印加する。なお、トランス３００ａでは、一次巻線としてＮｐ２０１〜Ｎｐ２０３の３層が、巻線２０３により形成される。また、トランス３００ａでは、二次巻線としてＮｓ２０１〜Ｎｓ２０３の３層が、巻線２０３により形成される。
【０００７】
巻線２０３には、該巻線２０３を外部と絶縁するための絶縁テープ２０４が、該巻線２０３の層毎に巻かれる。また、ボビン２０１の上記筒状部の両端部にはそれぞれ、沿面テープ２０５が巻かれる。
【０００８】
コア２１１は、Ｅ字型の形状を有するものであり、図示しない中央突状部が、ボビン２０１の図示しない中空部に挿入される。
【０００９】
なお、図１３では図示していないが、実際には、１個のトランスにつき、コア２１１が２個用意される。そして、上記中空部における一方の開口部分からは、一方のコア２１１の中央突状部が挿入される。また、上記中空部における他方の開口部分からは、他方のコア２１１の中央突状部が挿入される。そして、２個のコア２１１が該中空部に挿入されると、これらの中央突状部が該中空部から抜けてしまうことを防止するため、コア２１１の周囲を組立テープ２１３により固定する。
【００１０】
こうして図１３に示すトランス３００ａは、ボビン２０１にコア２１１が搭載され、図１４に示す、完成したトランス３００ｂとなる。なお、図１４（ａ）は、トランス３００ｂの上面を図示した平面図であり、同図（ｂ）は、トランス３００ｂの側面を図示した側面図であり、同図（ｃ）は、トランス３００ｂの下面を図示した下面図である。また、図１３における「Ｘ」方向は、図１４における「Ｘ」方向に対応するものとする。
【００１１】
なお、図１４（ｂ）、（ｃ）からも分かるとおり、ボビン２０１は、自身の底面に間隔設定部２０８が、該ボビン２０１と一体的に設けられる。この間隔設定部２０８は、上記ボビン２０１の底面から、該ボビン２０１の底面に対して直交する方向に、該ボビン２０１の底面の下方へと伸びる柱状の部材として設けられる。
【００１２】
次に、上記トランスが回路基板に実装される様子について、図１５を用いて説明する。
【００１３】
図１５は、上記トランスが実装される様子を示す斜視図である。なお、図１５に示すトランス３００は、図１４に示すトランス３００ｂと概ね同一の構造を有するものであるとする。但し、従来技術に係るトランスの構造と、後述する本発明に係るトランスの構造との差異を明確にするため、図１５に示すトランス３００では、ボビン２０１、端子２０２、及び間隔設定部２０８以外の構成を省略して図示している。
【００１４】
以下、図１５を用いて従来の技術について説明する。
【００１５】
トランス３００は、電源回路基板２２１に搭載されて、トランス回路基板２５０を構成する。
【００１６】
トランス３００は従来、電源回路基板２２１のトランス端子穴２２２に、ボビン２０１の端子２０２が取り付けられる。
【００１７】
間隔設定部２０８は、トランス３００を電源回路基板２２１に実装する場合において、上端面（即ち、上記柱状の部材の先端となる面）が、該電源回路基板２２１の表面と当接することにより、ボビン２０１と該電源回路基板２２１との間隔を所定の間隔に設定する。なおここで、電源回路基板２２１の表面とは、電源回路基板２２１におけるトランス３００の搭載面を意味する。
【特許文献１】特開２０００−２１６５６号公報（２０００年１月２１日公開）
【特許文献２】実開平５−３３５１６号公報（１９９３年４月３０日公開）
【発明の開示】
【発明が解決しようとする課題】
【００１８】
図１５に示すトランス回路基板２５０では、トランス３００のボビン２０１に設けられる間隔設定部２０８の上端面が、電源回路基板２２１の表面に当接する制約があり、この制約が、近年の薄型志向のテレビ用等に要求される薄型化電源の開発に際して妨げとなっていた。
【００１９】
即ち、一般的に、スイッチング電源装置に使用されるトランス３００のボビン２０１に設けられる間隔設定部２０８は、挿入されるコア（図１５には図示しない）の厚さと並び、トランス３００の高さ方向の大部分を占める。また、ボビン２０１の間隔設定部２０８は、ボビン２０１に巻かれる図示しない巻線の太さの最大値に合わせた柱状の部材として作成されることが多いため、該巻線が細い場合、間隔設定部２０８は、上端面が、電源回路基板２２１の表面に当接することで、冗長な高さを有する柱状の部材となる。結果、間隔設定部２０８の存在は、従来、トランス回路基板２５０の低背化の妨げとなっていた。
【００２０】
また、従来、トランス回路基板を低背化するための構造としては、トランスにおいて、回路基板の表面に対して平行となる方向に端子を引き出し、該回路基板にボビンが接する部分まで低背化する構造が存在する（特許文献１、２参照）。
【００２１】
しかしながら、特許文献１、２に開示される技術の場合は、コアと端子とが極端に近接するため、沿面距離の確保が困難となり、耐圧特性が劣化する虞がある。なお、この場合、良好な耐圧特性を確保する為には、沿面距離を確保すべく、トランス本体を高く設計する必要がある。結果として、トランス回路基板の低背化は困難であるという問題が発生する。
【００２２】
また、上記のとおり、回路基板の表面に対して平行に端子を引き出すことにより、該回路基板への実装後におけるトランスの表面積は、拡大してしまう。また、これによりトランス回路基板では、トランスが、回路基板に設けられる他の部品と極端に近接する虞があるという問題が発生する。
【００２３】
さらに、上記の構成を有するトランスは、自身に巻かれる巻線の太さ等に応じて、固有の高さが設定されて製造されることから、専用品としての取り扱いを余儀なくされる場合が多くなると考えられ、汎用性という観点において決して有利であるとは言えない。そして、これによれば、上記の構成を有するトランスは、一度に製造される数量が少なくなり易く、これにより、コストが増大する虞があるという問題が発生する。
【００２４】
本発明は、上記の問題点に鑑みてなされたものであり、その目的は、低背化及び小面積化による小型化が実現可能であり、かつ製造時におけるコストの増大を抑制することが可能なトランス回路基板を提供することにある。
【課題を解決するための手段】
【００２５】
本発明に係るトランス回路基板は、上記の課題を解決するため、ボビンを備えるトランスが回路基板に搭載されているトランス回路基板であって、上記ボビンと上記回路基板とを所定の間隔に設定する間隔設定部を備え、上記間隔設定部は、上記回路基板及びトランスのうちの一方に形成されていると共に、他方側に伸びる部材であり、上記部材の先端部分から、上記回路基板及びトランスのうちの他方に設けられている穴部に挿入可能に形成されており、上記回路基板における上記トランスの搭載面と平行である断面が、上記先端部分側より上記部材の根元部分側で大きくなっていることを特徴としている。
【００２６】
また、本発明に係るトランス回路基板の製造方法は、上記の課題を解決するため、ボビンを備えるトランスを回路基板に実装する工程を含むトランス回路基板の製造方法であって、上記回路基板及びトランスのうちの一方に、上記ボビンと該回路基板とを所定の間隔に設定する間隔設定部を形成する工程と、上記回路基板及びトランスのうちの他方に、穴部を形成する工程と、を含み、上記間隔設定部を形成する工程では、該間隔設定部を、上記回路基板及びトランスのうちの一方に形成されていると共に、他方側に伸びる部材であって、上記部材の先端部分から、上記穴部に挿入可能に形成されており、上記回路基板における上記トランスの搭載面と平行である断面が、上記先端部分側より上記部材の根元部分側で大きくなっている部材として形成することを特徴としている。
【００２７】
上記の構成によれば、回路基板及びトランスのうちの一方には間隔設定部が形成されており、他方には穴部が設けられている。
【００２８】
間隔設定部は、回路基板及びトランスのうちの一方に形成されていると共に、該回路基板及びトランスのうちの他方側に伸びる部材である。即ち、間隔設定部は、回路基板に形成されている場合は、該回路基板からボビンへと伸びる部材となり、トランスに形成されている場合は、該ボビンから該回路基板へと伸びる部材となる。さらに、間隔設定部は、先端部分を有する部材となる。
【００２９】
一方、穴部は、回路基板及びトランスのうちの他方に形成されている。そして、穴部は、上記の構造を有する間隔設定部を先端部分から挿入することが可能なものとして設けられている。
【００３０】
ここで、間隔設定部は、上述したとおり、回路基板及びトランスのうちの他方側に伸びる部材である。このことから、穴部に間隔設定部を先端部分から挿入すると、穴部への間隔設定部の挿入度合いに応じて、ボビンと回路基板との間隔は変化する。これにより、トランス回路基板の高さは、穴部に間隔設定部を深く挿入する程に低背化される。
【００３１】
このため、本発明に係るトランス回路基板は、従来技術に係る、間隔設定部の上端面が回路基板の表面と当接する構造と比較して、トランス回路基板の低背化を実現することが可能である。つまり、本発明に係るトランス回路基板では、ボビンに巻かれる巻線の太さに応じて、穴部への間隔設定部の挿入度合いを適宜変化させることで、トランス回路基板自身の高さの最適化を図ることができる。そのため、従来トランス回路基板の低背化の妨げとなっていた、間隔設定部の高さに起因するトランス回路基板の高さを、可能な限り低背化することが可能である。
【００３２】
また、本発明に係るトランス回路基板では、端子を有する場合であっても、回路基板の表面に対して平行に端子を引き出す必要がない。これは、本発明に係るトランスが端子を有する場合、該端子は、上述した間隔設定部の穴部への挿入に関係なく、所望の深さまで端子穴（トランス端子穴）に挿入可能であるため、端子の端子穴への挿入に起因して、トランス回路基板が高くなってしまうことを考慮する必要がない、ということによる。従って、本発明に係るトランス回路基板では、端子を有する場合であっても、回路基板の表面に対して垂直にトランスの端子を引き出すことが可能であるため、該回路基板への実装後におけるトランスの表面積の拡大を抑制することができる。また、本発明に係るトランス回路基板は、回路基板に設けられる他の部品と極端に近接することがない。またこの場合は、コアと端子とが極端に近接することを抑制することができるため、本発明に係るトランス回路基板では、沿面距離の確保に起因して、低背化が困難となる問題が発生する虞は低い。
【００３３】
さらに、間隔設定部は、回路基板におけるトランスの搭載面と平行である断面が、先端部分側より根元部分側で大きくなっている。こうした間隔設定部を先端部分から穴部に挿入すると、該間隔設定部が該穴部に挿入される程に、トランス回路基板は、低背化する。また、こうした構造の場合は、穴部を形成する位置、穴部の口径等を適宜設定することにより、間隔設定部の穴部への挿入度合いを容易に制御することができる。つまり、上記の構成によれば、回路基板に形成される穴部の位置および／または口径に応じて、間隔設定部が穴部に当接する位置が異なる。これにより、穴部の位置および／または口径に応じて、該トランス回路基板の高さを容易に最適化することができる。
【００３４】
そして、本発明に係るトランス回路基板では、汎用のボビンが作成され、該汎用のボビン及び回路基板に対して、上述した、間隔設定部及び穴部による高さの最適化を実施する。本発明に係るトランス回路基板では、これだけで、上記最適化が可能である。従って、本発明に係るトランス回路基板では、汎用のボビンを備えるトランスを用いて、容易に上記最適化を実施することができるため、トランス回路基板を安価に提供することが可能である。
【００３５】
従って、低背化及び小面積化による小型化が実現可能であり、かつ製造時におけるコストの増大を抑制することが可能であるという効果を奏する。
【００３６】
また、本発明に係るトランス回路基板は、上記間隔設定部は、上記トランスのボビンに形成されており、上記穴部は、上記回路基板に設けられていることを特徴としている。
【００３７】
上記の構成によれば、回路基板は、該回路基板上に穴部が設けられているだけの構造を有する。そのため、回路基板には、別途部品を実装する必要がないため、該回路基板を安価に製造することが可能となる。
【００３８】
また、ボビンに間隔設定部を形成する場合は、該間隔設定部が形成された状態の金型を用いて該ボビンを製造することにより、容易にボビンに間隔設定部を形成することができる。そのため、ボビンに間隔設定部を形成することに起因して、製造コストが大幅に増大してしまうことはない。
【００３９】
従って、製造時におけるコストの増大をさらに抑制することが可能であるという効果を奏する。
【００４０】
また、本発明に係るトランス回路基板は、上記間隔設定部は、円錐状の部材であることを特徴としている。
【００４１】
上記の構成によれば、上記間隔設定部が円錐状の部材として形成されるため、単純な構造により、上記間隔設定部を容易に形成することができる。また、上記の構成によれば、円錐状の部材を穴部に挿入するため、該挿入時において、間隔設定部と穴部とが当接する領域を広くすることができる。
【００４２】
また、本発明に係るトランス回路基板は、上記間隔設定部は、錐台状の部材である錐台部と、上記錐台部の上端面の一部に形成されている錐体状の部材である錐体部と、を有していることを特徴としている。
【００４３】
上記の構成によれば、間隔設定部は、錐台部と錐体部とを組み合わせた形状で形成されている。ここで、錐体部は、錐台部の上端面の一部に形成されている。このため、錐体部が形成されていない錐台部の上端面については、露出する。こうした構造を有する間隔設定部を穴部に挿入すると、露出した上端面と穴部周辺の回路基板部分とをさらに当接させることが可能となる。この場合は、間隔設定部が回路基板に当接する領域を広くすることができる。そのため、トランスの回路基板への実装に関して、トランスの実装位置への固定を、強固に行うことができるという効果を奏する。
【００４４】
また、本発明に係るトランス回路基板は、上記間隔設定部は、複数の錐台が階段状に重なるように形成されている部材である階段状錐台部と、上記階段状錐台部における最上段の錐台の上端面の一部に形成されている錐体状の部材である錐体部と、を有していることを特徴としている。
【００４５】
上記の構成によれば、間隔設定部は、階段状錐台部と錐体部とを組み合わせた形状で形成される。ここで、錐体部は、階段状錐台部における最上段の錐台の上端面の一部に形成されている。このため、錐体部が形成されていない階段状錐台部における最上段の錐台の上端面については、露出する。加えて、階段状錐台部では、複数の錐台が階段状に搭載されているため、該複数の錐台における上端面については、いずれも部分的に露出する。こうした構造を有する間隔設定部を穴部に挿入すると、露出した上端面と穴部周辺の回路基板部分とをさらに当接させることが可能となる。この場合は、間隔設定部が回路基板に当接する領域を広くすることができる。そのため、トランスの回路基板への実装に関して、トランスの実装位置への固定を、強固に行うことができるという効果を奏する。
【００４６】
また、本発明に係るトランス回路基板は、上記間隔設定部は、上記根元部分から上記先端部分にかけて段階的に細くなる柱状の部材であることを特徴としている。
【００４７】
上記の構成によれば、回路基板及びトランスのうちの一方には間隔設定部が形成されており、他方には穴部が設けられている。
【００４８】
間隔設定部は、回路基板及びトランスのうちの一方に形成されていると共に、該回路基板及びトランスのうちの他方に伸びる部材である。即ち、間隔設定部は、回路基板に形成されている場合は、該回路基板からボビンへと伸びる柱状の部材となり、トランスに形成されている場合は、該ボビンから該回路基板へと伸びる柱状の部材となる。
【００４９】
一方、穴部は、回路基板及びトランスのうちの他方に形成されている。そして、穴部は、上記の構造を有する間隔設定部を先端部分、即ち、該間隔設定部の上端面から挿入することが可能なものとして設けられる。
【００５０】
ここで、間隔設定部は、上述したとおり、回路基板及びトランスのうちの他方に伸びる部材である。このことから、穴部に間隔設定部を先端部分から挿入すると、穴部への間隔設定部の挿入度合いに応じて、ボビンと回路基板との間隔は変化する。これにより、トランス回路基板の高さは、穴部に間隔設定部を深く挿入する程に低背化される。
【００５１】
このため、本発明に係るトランス回路基板は、従来技術に係る、間隔設定部の上端面が回路基板の表面と当接する構造と比較して、トランス回路基板の低背化を実現することが可能である。つまり、本発明に係るトランス回路基板では、ボビンに巻かれる巻線の太さに応じて、穴部への間隔設定部の挿入度合いを適宜変化させることで、トランス回路基板自身の高さの最適化を図ることができる。そのため、従来トランス回路基板の低背化の妨げとなっていた、間隔設定部の高さに起因するトランス回路基板の高さを、可能な限り低背化することが可能である。
【００５２】
また、本発明に係るトランス回路基板では、端子を有する場合であっても、回路基板の表面に対して平行に端子を引き出す必要がない。これは、本発明に係るトランスが端子を有する場合、該端子は、上述した間隔設定部の穴部への挿入に関係なく、所望の深さまで端子穴（トランス端子穴）に挿入可能であるため、端子の端子穴への挿入に起因して、トランス回路基板が高くなってしまうことを考慮する必要がない、ということによる。従って、本発明に係るトランス回路基板では、端子を有する場合であっても、回路基板の表面に対して垂直にトランスの端子を引き出すことが可能であるため、該回路基板への実装後におけるトランスの表面積の拡大を抑制することができる。このため、本発明に係るトランス回路基板は、回路基板に設けられる他の部品と極端に近接することがない。またこの場合は、コアと端子とが極端に近接することを抑制することができるため、本発明に係るトランス回路基板では、沿面距離の確保に起因して、低背化が困難となる問題が発生する虞は低い。
【００５３】
さらに、間隔設定部は、回路基板における上記トランスの搭載面と平行である断面が、先端部分側より根元部分側で大きくなっている。こうした間隔設定部を先端部分から穴部に挿入すると、該間隔設定部が該穴部に挿入される程に、トランス回路基板は、低背化する。また、こうした構造の場合は、穴部を形成する位置、穴部の口径等を適宜設定することにより、間隔設定部の穴部への挿入度合いを容易に制御することができる。つまり、上記の構成によれば、回路基板に形成される穴部の位置および／または口径に応じて、間隔設定部が穴部に当接する位置が異なる。これにより、穴部の位置および／または口径に応じて、該トランス回路基板の高さを容易に最適化することができる。
【００５４】
そして、本発明に係るトランス回路基板では、汎用のボビンが作成され、該汎用のボビン及び回路基板に対して、上述した、間隔設定部及び穴部による高さの最適化を実施する。本発明に係るトランス回路基板では、これだけで、上記最適化が可能である。従って、本発明に係るトランス回路基板では、汎用のボビンを備えるトランスを用いて、容易に上記最適化を実施することができるため、トランス回路基板を安価に提供することが可能である。
【００５５】
従って、低背化及び小面積化による小型化が実現可能であり、かつ製造時におけるコストの増大を抑制することが可能であるという効果を奏する。
【００５６】
また、本発明に係るトランス回路基板は、上記穴部は、スルーホールであることを特徴としている。
【００５７】
上記の構成によれば、穴部がスルーホールとして形成されているため、単純な構造により、穴部を容易に形成することができる。また、上記の構成によれば、間隔設定部をスルーホールに挿入するため、該挿入時において、間隔設定部と穴部とが当接する領域を広くすることができる。
【００５８】
また、本発明に係るトランス回路基板は、上記間隔設定部が複数個形成されており、上記複数個の間隔設定部に対応する上記穴部が複数個形成されており、隣り合う上記間隔設定部のピッチが、該隣り合う間隔設定部に対応する、隣り合う穴部のピッチと異なっていることを特徴としている。
【００５９】
上記の構成によれば、隣り合う間隔設定部のピッチが、隣り合う穴部のピッチと異なっている。この場合は、隣り合う間隔設定部のピッチが、隣り合う穴部のピッチと同一である場合と比較して、トランス回路基板の高さは高くなる。ボビンの巻かれる巻線が太い場合、あまりトランス回路基板を低背化するのは好ましくないため、例えば隣り合う間隔設定部のピッチと隣り合う穴部のピッチと適宜設定することで、トランス回路基板の高さを高めに設定するのが好適である。
【００６０】
また、本発明に係るトランス回路基板の製造方法は、上記穴部を形成する工程では、上記ボビンに巻かれる巻線の太さに応じて、該穴部の口径を設定することを特徴としている。また、本発明に係るトランス回路基板の製造方法は、上記間隔設定部を形成する工程では、該間隔設定部を複数個形成し、上記穴部を形成する工程では、上記複数個の間隔設定部に対応する上記穴部を複数個形成し、上記ボビンに巻かれる巻線の太さに応じて、隣り合う上記穴部のピッチを設定することを特徴としている。
【００６１】
ボビンと回路基板との間隔は、穴部へ間隔設定部を挿入する度合いに応じて変化する。また、間隔設定部は、回路基板における上記トランスの搭載面と平行である断面が、先端部分側より根元部分側で大きくなっている部材として形成する。そのため、間隔設定部が先端部分から挿入される穴部は、間隔設定部を挿入する度合いを変更するだけで、ボビンと回路基板との間隔を容易に変更することが可能である。
【００６２】
そこで、穴部を形成する工程では、ボビンに巻かれる巻線の太さに応じて、該穴部の口径を設定するのが好ましい。また、間隔設定部を複数個形成し、該複数個の間隔設定部に対応する穴部を複数個形成する場合、穴部を形成する工程では、ボビンに巻かれる巻線の太さに応じて、隣り合う穴部のピッチを設定するのが好ましい。
【００６３】
上記の方法によれば、低背化に関しては、ボビンに巻かれる巻線の太さの最大値に適合した汎用のボビンを使用し、該巻線の太さに応じて、該穴部の口径を設定して、トランスの高さの調節することが可能となる。これにより、完成したトランス回路基板では、汎用のボビンの構造を若干変更することだけで、トランス回路基板の高さの最適化が実現可能である。また、ボビンの金型としては、汎用のものを１つ製造するだけで、トランス回路基板の高さの最適化が実現可能となる。
【００６４】
また巻線の太さが互いに異なる複数のトランス回路基板を製造する場合であっても、ボビンの金型としては、汎用のものを１つ使用するだけで十分である。そのため、トランス回路基板を大量に生産する場合においては、製造コストを低減することができる。さらに、この場合は、巻線及びコアの設計を変更する必要がない。そのため、トランス回路基板自体の耐圧特性を維持したまま低背化することが可能となり、設計及び開発時間の短縮が期待できる。
【発明の効果】
【００６５】
本発明に係るトランス回路基板は、以上のとおり、ボビンを備えるトランスが回路基板に搭載されているトランス回路基板であって、上記ボビンと上記回路基板とを所定の間隔に設定する間隔設定部を備え、上記間隔設定部は、上記回路基板及びトランスのうちの一方に形成されていると共に、他方側に伸びる部材であり、上記部材の先端部分から、上記回路基板及びトランスのうちの他方に設けられている穴部に挿入可能に形成されており、上記回路基板における上記トランスの搭載面と平行である断面が、上記先端部分側より上記部材の根元部分側で大きくなっている構成である。
【００６６】
従って、低背化及び小面積化による小型化が実現可能であり、かつ製造時におけるコストの増大を抑制することが可能であるという効果を奏する。
【発明を実施するための最良の形態】
【００６７】
〔実施の形態１〕
本発明の一実施形態について図１〜図９に基づいて説明すると以下の通りである。
【００６８】
図２、３は、本発明に係るトランスの構造の一例を示す図である。なお、図２は、ボビンへのコア搭載前における図であり、図３は、ボビンへのコア搭載後における図である。
【００６９】
また、図４は、本発明に係るトランスにおいて使用されるボビンの構造を示す図である。図４（ａ）は、該ボビンの上面を図示する平面図であり、同図（ｂ）は、該ボビンの側面を図示する側面図であり、同図（ｃ）は、該ボビンの下面を図示する下面図である。また、図５は、本発明に係るトランスにおいて使用されるコア（例えば、フェライトコア）の構造を示す平面図であり、該コアの上面を図示する該平面図である。
【００７０】
まずは、図２を用いて、本発明に係るトランスの構造について説明する。
【００７１】
図２によれば、トランス１００ａは、ボビン１にコア１１が搭載される構造を有する。ボビン１には、端子２が、該ボビン１から突出するように設けられる。さらに、ボビン１は、巻線３、絶縁テープ４、及び沿面テープ５を備える構成である。なお、これらの部品の取り付けは例えば、半田ディップによる半田付けで行われる。
【００７２】
端子２は、例えば図２には図示しない回路基板に固定され、該回路基板に設けられた図示しない電源と巻線３とを電気的に接続する。
【００７３】
巻線３は、ボビン１の筒状部６（図４（ａ）参照）に層状に巻かれる、トランス１００ａ、ひいては後述するトランス１００ｂ、１００の一次巻線及び二次巻線である。巻線３は、上記電源からの電源電圧が一次巻線に印加されると、二次巻線において、該電源電圧よりも高い電圧を発生させ、後段の回路（スイッチング電源装置においては例えば、図示しない二次巻線側の整流回路）に印加する。なお、トランス１００ａでは、一次巻線としてＮｐ１〜Ｎｐ３の３層が、巻線３により形成される。また、トランス１００ａでは、二次巻線としてＮｓ１〜Ｎｓ３の３層が、巻線３により形成される。
【００７４】
巻線３には、該巻線３を外部と絶縁するための絶縁テープ４が、該巻線３の層毎に巻かれる。また、ボビン１の筒状部６の両端部にはそれぞれ、沿面テープ５が巻かれる。
【００７５】
コア１１は例えば、図５に示すとおり、Ｅ字型の形状を有する。このコア１１は、中央突状部１２がボビン１の中空部７（図４（ｂ）参照）に挿入される。
【００７６】
なお、図２では図示していないが、実際には、図５に示すとおり、１個のトランスにつき、コア１１が２個用意される。そして、中空部７における一方の開口部分からは、一方のコア１１の中央突状部１２が挿入される。また、中空部７における他方の開口部分からは、他方のコア１１の中央突状部１２が挿入される。そして、２個のコア１１が中空部７に挿入されると、これらの中央突状部１２が中空部７から抜けてしまうことを防止するため、コア１１の周囲を組立テープ１３により固定する。
【００７７】
こうして図２に示すトランス１００ａは、ボビン１にコア１１が搭載され、図３に示す、完成したトランス１００ｂとなる。なお、図３（ａ）は、トランス１００ｂの上面を図示する平面図であり、同図（ｂ）は、トランス１００ｂの側面を図示する側面図であり、同図（ｃ）は、トランス１００ｂの下面を図示する下面図である。また、図２における「Ｙ」方向は、図３における「Ｙ」方向に対応するものとする。
【００７８】
なお、図３（ｂ）、（ｃ）及び図４（ｂ）、（ｃ）に示すとおり、ボビン１には、自身の底面に間隔設定部８が、該ボビン１と一体的に設けられる。
【００７９】
この間隔設定部８は、上記ボビン１の底面から、該ボビン１の底面に対して直交する方向に、該ボビン１の底面の下方へと伸びる円錐状の部材として形成される点において、図１４（ｂ）、（ｃ）に示す間隔設定部２０８と異なる。なお、本発明に係る間隔設定部は、円錐状に限らず、ボビンの底面に、楔状の部材として形成されるのが好ましい。間隔設定部８は、上記円錐状の部材における図示しない底面が、上記ボビン１の底面に設けられる。
【００８０】
次に、本発明に係るトランスが回路基板に実装される様子について、図１を用いて説明する。
【００８１】
図１は、本発明の一実施形態に係るトランスが回路基板に実装される様子を示す斜視図である。なお、図１に示すトランス１００は、少なくとも本発明の特徴点に関連する部分において、図３に示すトランス１００ｂと同一の構造を有するものであるとする。但し、上述した従来技術に係るトランスの構造と、本発明に係るトランスの構造との差異を明確にするため、図１に示すトランス１００では、ボビン１及び該ボビン１が備える部材であって、本発明の特徴点に関連する部材以外の構成を省略して図示している。同様の理由により、後述する図７に示すトランス１００、後述する図１０、１１に示すトランス２００、さらには、後述する図６に示すトランス３００についても、ボビン及び該ボビンが備える部材であって、本発明の特徴点に関連する部材以外の構成を省略して図示している。
【００８２】
以下、図１を用いて本発明に係る技術について説明する。
【００８３】
トランス１００は、電源回路基板（回路基板）２１に搭載されて、トランス回路基板５０を構成する。
【００８４】
トランス１００は、電源回路基板２１のトランス端子穴２２に、ボビン１の端子２が取り付けられる。
【００８５】
なお、ここで、端子２は、ボビン１の底面から、該ボビン１の底面に対して直交する方向に引き出される。かつ、端子２は、トランス１００が電源回路基板２１へと実装された状態で、ボビン１の底面から、該電源回路基板２１においてトランス１００が搭載される面、即ち、図１においてトランス端子穴２２及び後述するスルーホール２３が設けられている電源回路基板２１の面と直交する方向に引き出される。以下では、電源回路基板２１においてトランス１００が搭載される面を、電源回路基板２１の表面と称する。この構成によれば、電源回路基板２１への実装後におけるトランス１００の表面積の拡大を抑制することができるため、トランス１００の小面積化を図ることができる。また、この構成によれば、トランス１００が電源回路基板２１に設けられる、図示しない他の部品と極端に近接することを抑制することができる。
【００８６】
また、電源回路基板２１の表面には、トランス端子穴２２に加え、スルーホール（穴部）２３が設けられる。このスルーホール２３は、ボビン１が電源回路基板２１に実装された状態において、間隔設定部８の先端部分を含む少なくとも一部が挿入可能であるものとして設けられる。
【００８７】
即ち、間隔設定部８は、ボビン１の端子２を電源回路基板２１のトランス端子穴２２に取り付けた状態において、該電源回路基板２１の表面に別途設けられたスルーホール２３に挿入可能である構造を有する。
【００８８】
また、間隔設定部８は、上述したとおり、該ボビン１の底面に対して直交する方向に、該ボビン１の底面の下方へと伸びる円錐状の部材として設けられる。さらに、上述した、端子２が引き出される方向、ボビン１の底面、及び電源回路基板２１の表面の位置関係によれば、該ボビン１の底面は、該電源回路基板２１の表面と平行となる。以上のことから、間隔設定部８は、上記円錐状の部材における先端部分が、ボビン１の底面から、電源回路基板２１の表面へと向かって伸びているということが分かる。即ち、間隔設定部８は、ボビン１の底面と電源回路基板２１の表面との間隔方向（即ち、電源回路基板２１の表面に垂直な方向）に、底面から先端部分まで伸びる部材であると言うことができる。また、以上のことから、間隔設定部８は、電源回路基板２１の表面と平行な方向の断面の大きさが、該間隔設定部８の先端部分側より、根元部分側、即ち、ボビン１側で大きくなる構造を有する部材であると言うことができる。
【００８９】
そして、間隔設定部８は、トランス１００を電源回路基板２１に実装する場合において、該間隔設定部８の当接部分が、スルーホール２３及び／または電源回路基板２１の表面と当接する。またこのとき、間隔設定部８は、上記当接部分にて、ボビン１を支持する。これにより、トランス１００では、上記間隔設定部８の当接部分の位置を適宜設定することにより、ボビン１と該電源回路基板２１との間隔を所望の間隔に設定することができる。なお、上記間隔設定部８の当接部分としては、上記円錐状の部材の、先端部分であっても構わないし、側面部分であっても構わない。上記ボビン１と該電源回路基板２１の表面との間隔を所望の間隔に設定する方法については後述する。
【００９０】
間隔設定部８は、円錐形状の部材として形成される場合、円錐の底面の直径が２ｍｍ〜３ｍｍ程度、高さが２ｍｍ〜３ｍｍ程度で形成されるのが好適である。また、汎用性を考慮すると、間隔設定部８は、ボビン１の底面の４隅に形成されるのが好適である。また、スルーホール２３は、上記間隔設定部８の底部の直径の約１／３〜１／２倍の直径を有するのが好適である。また、スルーホール２３は、電源回路基板２１の表面において、トランス１００の電源回路基板２１への実装時に間隔設定部８が搭載される部分に、該間隔設定部８毎に１個形成される。
【００９１】
また、従来技術に係るトランスが回路基板に実装される様子と、本発明に係るトランスが回路基板に実装される様子との差異を、図６、７に示す。図６は、従来技術に係るトランスが回路基板に実装される様子を、該トランスの側面から図示する図であり、図７は、本発明に係るトランスが回路基板に実装される様子を、該トランスの側面から図示する図である。
【００９２】
図６に示すとおり、従来技術に係るトランス３００は、上述した間隔設定部２０８の図示しない底面が、電源回路基板２２１の表面と当接する。これにより、ボビン２０１と電源回路基板２２１との間には、該ボビン２０１に巻かれる図示しない巻線の太さの最大値に適合した、一定の高さが設けられる。
【００９３】
一方、図７に示すとおり、本発明に係るトランス１００は、従来技術に係るトランス３００と同様の要領により実装すると、上記間隔設定部８の先端部分が、電源回路基板２１の表面と当接する。これにより、ボビン１と電源回路基板２１との間には、該ボビン１に巻かれる図示しない巻線の太さの最大値に適合した、一定の高さが設けられる。そして、本発明に係るトランス１００は、上記間隔設定部８を、電源回路基板２１の表面に設けられるスルーホール２３（図７には図示しない）に挿入することにより、トランスの低背化が可能となる。
【００９４】
ここからは、間隔設定部及び穴部により、ボビンと電源回路基板の表面との間隔を所望の間隔に設定する方法について説明する。
【００９５】
図８には、間隔設定部及び穴部により、ボビンと回路基板との間隔を所望の間隔に設定する方法の一例を示す図である。
【００９６】
図８では、間隔設定部が、穴部の口径に基づいて、ボビンと回路基板との間隔を所望の間隔に設定する例を示している。なお、図８（ａ）は、スルーホール２３（スルーホール２３ａ、２３ｂ、２３ｃ）の口径と間隔設定部８の沈み込み位置との関係を示す図である。ここで「間隔設定部８の沈み込み位置」とは、トランス１００を電源回路基板２１に実装する場合において、スルーホール２３と当接する、間隔設定部８の位置を意味する。
【００９７】
まず、図８（ａ）において、電源回路基板２１の表面に設けられるスルーホール２３が、口径が小さいスルーホール２３ａであり、該スルーホール２３ａに間隔設定部８が挿入される場合、間隔設定部８の沈み込み位置は、該間隔設定部８の先端部分に近い、参照符号「ａｆ」の位置となる。
【００９８】
このとき、間隔設定部８は、先端部分に近い位置でスルーホール２３ａと当接することにより、図８（ｂ）に示すとおり、ボビン１の底面から遠い位置で該ボビン１を支持する。
【００９９】
次に、図８（ａ）において、電源回路基板２１の表面に設けられるスルーホール２３が、口径が中程度のスルーホール２３ｂであり、該スルーホール２３ｂに間隔設定部８が挿入される場合、間隔設定部８の沈み込み位置は、上記「ａｆ」よりも、該間隔設定部８の底面側である、参照符号「ｂｆ」の位置となる。
【０１００】
このとき、間隔設定部８は、図８（ｂ）に示す場合と比較して、該間隔設定部８の底面に近い位置でスルーホール２３ｂと当接することにより、図８（ｃ）に示すとおり、図８（ｂ）に示す場合と比較して、ボビン１の底面から近い位置で該ボビン１を支持する。
【０１０１】
そして、図８（ａ）において、電源回路基板２１の表面に設けられるスルーホール２３が、口径が大きいスルーホール２３ｃであり、該スルーホール２３ｃに間隔設定部８が挿入される場合、間隔設定部８の沈み込み位置は、上記「ｂｆ」よりも、さらに該間隔設定部８の底面側である、参照符号「ｃｆ」の位置となる。
【０１０２】
このとき、間隔設定部８は、図８（ｃ）に示す場合と比較して、さらに該間隔設定部８の底面に近い位置でスルーホール２３ｃと当接することにより、図８（ｄ）に示すとおり、図８（ｃ）に示す場合と比較して、さらにボビン１の底面から近い位置で該ボビン１を支持する。
【０１０３】
図９は、間隔設定部及び穴部により、ボビンと回路基板との間隔を所望の間隔に設定する方法の他の例を示す図であり、間隔設定部が、穴部のピッチに基づいて、ボビンと電源回路基板との間隔を所望の間隔に設定する例を示す図である。
【０１０４】
なお、ここで「スルーホール２３のピッチ」とは、隣り合う２つのスルーホール２３における、一方のスルーホール２３の中心から他方のスルーホール２３の中心までの距離を意味する。また、ここで「間隔設定部８のピッチ」とは、該隣り合う２つのスルーホール２３に対応する（即ち、該隣り合う２つのスルーホール２３に挿入される）、隣り合う２つの間隔設定部８における、一方の間隔設定部８の先端部分から他方の間隔設定部８の先端部分までの距離を意味する。
【０１０５】
図９（ａ）では、電源回路基板２１として、スルーホール２３のピッチ３１が、間隔設定部８のピッチ３０と概ね等しい、電源回路基板２１ａが使用される。こうした電源回路基板２１ａにトランス１００を搭載する場合は、間隔設定部８の沈み込み位置を、該間隔設定部８の底面に近い位置とすることができる。そのため、この場合は、ボビン１の底面から近い位置で該ボビン１を支持する。
【０１０６】
一方、図９（ｂ）〜（ｄ）では、電源回路基板２１として、スルーホール２３のピッチ３２ｂ〜３２ｄが、間隔設定部８のピッチ３０よりも狭い、電源回路基板２１ｂ〜２１ｄが使用される。こうした電源回路基板２１ｂ〜２１ｄにトランス１００を搭載する場合は、間隔設定部８の沈み込み位置を、図９（ａ）に示す場合と比較して、該間隔設定部８の先端部分に近い位置とすることができる。そのため、この場合は、ボビン１の底面から遠い位置で該ボビン１を支持する。
【０１０７】
ここで、図９（ａ）におけるスルーホール２３のピッチ３１、及び図９（ｂ）〜（ｄ）におけるスルーホール２３のピッチ３２ｂ〜３２ｄは、
ピッチ３２ｂ＜ピッチ３２ｃ＜ピッチ３２ｄ＜ピッチ３１
の関係を有している。そして、この場合、ボビン１の底面から間隔設定部８の沈み込み位置までの距離は、
ピッチ３１の場合＜ピッチ３２ｄの場合＜ピッチ３２ｃの場合＜ピッチ３２ｂの場合
の関係を有する。つまり、スルーホール２３のピッチを、間隔設定部８のピッチよりも狭くする場合は、該スルーホール２３のピッチを狭くする程に、ボビン１の底面から間隔設定部８の沈み込み位置までの距離を長くすることができる。即ち、スルーホール２３のピッチを、間隔設定部８のピッチよりも狭くする場合は、該スルーホール２３のピッチを狭くする程に、該間隔設定部８の沈み込み位置を該間隔設定部８の先端部分に近い位置とすることができる。
【０１０８】
但し、スルーホール２３のピッチを狭くしすぎると、該スルーホール２３に対応する、隣り合う２つの間隔設定部８は、該スルーホール２３に挿入不能となり、ボビンと回路基板との間隔を所望の間隔に設定する機能自体が損なわれてしまう虞がある。そのため、スルーホール２３のピッチは、該スルーホール２３に対応する、隣り合う２つの間隔設定部８が適切に挿入可能な程度のピッチに設定するのが好ましい。
【０１０９】
なお、反対に、スルーホール２３のピッチは、間隔設定部８のピッチよりも広くしてもよい。この場合は、該スルーホール２３のピッチを広くする程に、ボビン１の底面から間隔設定部８の沈み込み位置までの距離を長くすることができる。即ち、この場合は、該スルーホール２３のピッチを広くする程に、該間隔設定部８の沈み込み位置を該間隔設定部８の先端部分に近い位置とすることができる。但し、この場合についても同様に、上記スルーホール２３のピッチを広くしすぎると、該スルーホール２３に対応する、隣り合う２つの間隔設定部８は、該スルーホール２３に挿入不能となり、ボビンと回路基板との間隔を所望の間隔に設定する機能自体が損なわれてしまう虞がある。そのため、上記スルーホール２３のピッチは、該スルーホール２３に対応する、隣り合う２つの間隔設定部８が適切に挿入可能な程度のピッチに設定するのが好ましい。
【０１１０】
以上のとおり、トランス１００では、ボビン１に設けられる間隔設定部８をスルーホール２３に挿入した状態で、電源回路基板２１に搭載することができる。間隔設定部８がボビン１を支持する位置は、該間隔設定部８の沈み込み位置をボビン１の底面側に設定する程に、該ボビン１の底面に近接する。即ち、間隔設定部８がボビン１を支持する位置は、該間隔設定部８を深く挿入した状態で、該間隔設定部８とスルーホール２３とを当接させる程に、該ボビン１の底面に近接する。トランス１００は、間隔設定部８がボビン１を支持する位置が該ボビン１の底面に近接する程に、該トランス１００を電源回路基板２１に実装する場合において、該電源回路基板２１と近接することとなる。一方、端子２は、上記当接に関係なく、所望の深さまでトランス端子穴（図８には図示しない）に挿入可能であるため、端子２の該トランス端子穴への挿入に起因して、トランス１００が高くなってしまうことはない。
【０１１１】
こうして、本発明に係るトランス回路基板では、間隔設定部が、穴部の口径及び／またはピッチに基づいて、自身の高さを低背化することができる。
【０１１２】
このため、例えば図２に示す巻線３が細い場合は、口径が大きなスルーホール２３ｃ（図８（ａ）参照）、または、スルーホール２３のピッチ３１が間隔設定部８のピッチ３０と概ね等しい電源回路基板２１ａ（図９（ａ）参照）を用いる。そして、間隔設定部８の沈み込み位置を、該間隔設定部８の底面付近に設定することにより、トランス１００は、従来技術の係るトランス３００と比較して、大きな低背化の効果が得られる。
【０１１３】
また、例えば図２に示す巻線３が太い場合であっても、口径が小さなスルーホール２３ａ（図８（ａ）参照）、または、各々のスルーホール２３のピッチ３２ｂ〜３２ｄが間隔設定部８のピッチより狭い電源回路基板２１ｂ〜２１ｄ（図９（ｂ）〜（ｄ）参照）のいずれかを用いる。そして、間隔設定部８の沈み込み位置を、該間隔設定部８の先端部分付近に設定することにより、トランス回路基板５０は、従来技術に係るトランス回路基板２５０と比較して、ある程度の低背化の効果が得られる。こうして、トランス１００では、巻線の太さに応じて、自身の高さを最適化することが可能となる。
【０１１４】
以上の構成によれば、トランス回路基板を安価に提供するという面においては、以下の作用効果を奏する。即ち、ボビンは、巻線の径が太いものに合わせて事前に作成される。そして、本発明に係るトランス回路基板では、既存のボビンに対して、上述した、間隔設定部及び穴部による、上記高さの最適化を実施する。これだけで、上記高さの最適化は、巻線の径が太いものから巻線の径が細いものにまで対応可能である。従って、トランスでは、既存のボビンを用い、かつ、容易に上記高さの最適化を実施することができるため、トランス回路基板を安価に提供することが可能であるという効果を奏する。
【０１１５】
また、以上の構成によれば、低背化という面においては、巻線の太さに応じて、自身の高さを最適化することができる。そのため、従来低背化の妨げとなっていた、間隔設定部の高さに起因するトランスの高さを、可能な限り低くすることが可能である。
【０１１６】
なお、図８に示す形態と、図９に示す形態とを比較すると、トランスの回路基板への固定具合という観点では、図９に示す形態よりも図８に示す形態のほうが、該固定を強固に行っていると言える。これは、図８に示す形態は、図９に示す形態と比較して、間隔設定部と穴部とが当接する領域が広くなるためである。しかしながら、図９に示す形態を採用する場合であっても、本発明に係るトランス回路基板では、ボビンに設けられる端子を、回路基板に設けられるトランス端子穴に十分挿入して固定することにより、上記固定を強固に行うことができる。
【０１１７】
また、図９に係る実施の形態では、図９（ａ）〜（ｄ）に図示する全ての場合において、電源回路基板２１に設けられる複数の穴部が、互いに同一の口径を有している（即ち、スルーホール２３）場合を例に説明を行った。しかしながら、電源回路基板２１に設けられる複数の穴部の口径については、当然ながらこれに限定されるものではない。即ち、図９に係る実施の形態では例えば、図８（ａ）に示すスルーホール２３ａ〜２３ｃを用いることで、電源回路基板２１に、口径が互いに異なる複数の穴部が設けられてもよい。換言すれば、図９に係る実施の形態は、図８に係る実施の形態と組み合わせて実施することが可能である。
【０１１８】
また、本実施の形態では、間隔設定部をボビンの底面に設け、穴部を回路基板の表面に設ける構造を採用している。ここで、本発明に係るトランス回路基板では、穴部をボビンの底面に設け、間隔設定部を回路基板の表面に設ける構造を採用しても構わない。但し、穴部をボビンの底面に設け、間隔設定部を回路基板の表面に設ける構造の場合は、該回路基板上に別途部品を実装する必要が生じる。そのため、穴部をボビンの底面に設け、間隔設定部を回路基板の表面に設ける構造は、間隔設定部をボビンの底面に設け、穴部を回路基板の表面に設ける構造と比較して、製造コストの面における作用効果はやや小さい。従って、本発明に係るトランス回路基板では、やはり、間隔設定部をボビンの底面に設け、穴部を回路基板の表面に設ける構造を採用するのが好適である。
【０１１９】
〔実施の形態２〕
本発明の他の実施形態について図１０、図１１に基づいて説明すると以下の通りである。
【０１２０】
図１０は、本発明の他の実施形態に係るトランスが実装される様子を示す斜視図である。
【０１２１】
上述した実施の形態では、間隔設定部を楔状である円錐状の部材として設ける構造を採用しているが、本発明に係る間隔設定部の形状は、これに限定されない。即ち、本発明に係る間隔設定部の形状は、回路基板におけるトランス搭載面に平行な方向の断面の大きさが、間隔設定部における先端部分側より底面側で大きくなる構造を有する部材として、該ボビンの底面に設けられる構造を有するのであれば、特に限定されない。
【０１２２】
図１０に示すトランス２００は、電源回路基板２１に搭載されて、トランス回路基板１５０を構成する。
【０１２３】
トランス２００は、図１に示すトランス１００の構成において、間隔設定部８のかわりに、間隔設定部１０８が設けられる構成である。
【０１２４】
間隔設定部１０８は、上記ボビン１の底面から、該ボビン１の底面に対して直交する方向に、該ボビン１の底面の下方へと伸びる円錐台部（階段状錐台部）１０８ａと、該円錐台部１０８ａの底面に対向する面から、該ボビン１の底面に対して直交する方向に、該ボビン１の底面の下方へと伸びる円錐台部（階段状錐台部）１０８ｂと、該円錐台部１０８ｂの底面に対向する面から、該ボビン１の底面に対して直交する方向に、該ボビン１の底面の下方へと伸びる円錐部（錐体部）１０８ｃと、を有する部材である点において、間隔設定部８と異なる。なお、間隔設定部１０８は、円錐台部１０８ａの底面が、上記ボビン１の底面に設けられる。
【０１２５】
間隔設定部１０８では、上記円錐台部１０８ｂの底面全体が、上記円錐台部１０８ａの底面に対向する面の一部に形成される。また、上記円錐台部１０８ａの底面に対向する面において、上記円錐台部１０８ｂの底面が搭載されない周囲の平坦な部分（図示しない）は、露出する。
【０１２６】
同様に、間隔設定部１０８では、上記円錐部１０８ｃの底面全体が、上記円錐台部１０８ｂの底面に対向する面の一部に搭載される。また、上記円錐台部１０８ｂの底面に対向する面において、上記円錐部１０８ｃの底面が搭載されない部分（図示しない）は、露出する。
【０１２７】
また、図１１に示すとおり、トランス２００は、従来技術に係るトランス３００と同様の要領により実装すると、上記間隔設定部１０８の円錐部１０８ｃの先端部分が、電源回路基板２１の表面と当接する。これにより、ボビン１と電源回路基板２１との間には、該ボビン１に巻かれる図示しない巻線の太さの最大値に適合した、一定の高さが設けられる。
【０１２８】
図１１からも分かるとおり、間隔設定部１０８は、円錐台部１０８ａの高さに相当する段差Ａと、円錐台部１０８ｂの高さに相当する段差Ｂと、を有する階段状の部材であると言える。
【０１２９】
その他の構成は、図１に示すトランス回路基板５０と同一である。
【０１３０】
上記トランス回路基板１５０の構成によれば、図１に示すトランス回路基板５０と同様に、巻線の太さに応じて、自身の高さを最適化することが可能となる。
【０１３１】
また、本実施の形態では、上記円錐台部１０８ａの上記平坦部分、または、上記円錐台部１０８ｂの上記平坦部分がスルーホール２３と当接することにより、以下の作用効果をさらに奏する。即ち、この場合は、間隔設定部１０８とスルーホール２３とが当接する領域を広くすることができる。そのため、トランス２００の電源回路基板２１への実装に関して、トランス２００の実装位置への固定を、強固に行うことができるという効果を奏する。
【０１３２】
なお、本実施の形態では、間隔設定部が、２段の階段状の部材として設けられているがこれに限らず、該間隔設定部は、１段の階段状の部材として設けられてもよいし、３段以上の段数を有する階段状の部材として設けられてもよい。即ち、間隔設定部は、底面が回路基板及びトランスのうちの一方に形成されている錐台状の部材である錐台部と、底面が錐台部の底面に対向する面に形成されている錐体状の部材である錐体部と、を有しており、錐体部の底面全体が、錐台部の底面に対向する面の一部に搭載されている構成であってもよい。
【０１３３】
また、上述したとおり、本発明に係る間隔設定部の形状は、底面に平行な方向の断面の大きさが、間隔設定部における先端部分側より底面側で大きくなる構造を有する部材として、該ボビンの底面に設けられる構造を有するのであれば、特に限定されない。こうした形状を有する間隔設定部としては、例えば、底面積が互いに異なる複数の円柱を、上記構造を有するように階段状に設ける構成であってもよいし、底面積が互いに異なる複数の直方体または立方体を、上記構造を有するように階段状に設ける構成であってもよい。さらには、間隔設定部としては、上記構造を有する、錐台状の形状を有する部材を単独で用いてもよい。なお、こうした場合であっても、穴部の口径及び／またはピッチを変更して、間隔設定部の沈み込み位置を、該間隔設定部の先端部分または底面と対向する面付近に設定することにより、トランス回路基板は、従来技術に係るトランス回路基板と比較して、低背化の効果が得られる。
【０１３４】
また同様に、ここまで説明してきた本発明の実施の形態ではいずれも、穴部がスルーホールとして回路基板に設けられている。しかしながら、該穴部の形状としてはこれに限定されない。スルーホール以外に考えられる、穴部の形状としては、例えば、四角穴が考えられる。
【０１３５】
但し、コスト及び設計自由度を考慮すると、四角穴の穴部は、スルーホールにやや劣り、円柱、直方体、及び立方体のいずれかを用いた階段型の間隔設定部は、図１等に示す円錐状の部材である間隔設定部８または図１０等に示す円錐状かつ階段状の部材である間隔設定部１０８にやや劣る。従って、穴部としてはスルーホールを採用し、間隔設定部としては、図１等に示す円錐状の間隔設定部８または図１０等に示す円錐状かつ階段状の間隔設定部１０８を採用するのがより好適である。
【０１３６】
さらに、本発明に係るトランス回路基板は、以下の製造方法により、製造することが可能である。
【０１３７】
即ち、本発明に係るトランス回路基板は、ボビンを備えるトランスを回路基板に実装することで製造するが、このとき、該実装前に予め、間隔設定部をボビンの底面に形成すると共に、穴部を回路基板に形成する。ここで、ボビンの底面に形成する間隔設定部としては、例えば、間隔設定部８（図１参照）、間隔設定部１０８（図１０参照）を形成する。また、回路基板に設ける穴部としては、例えば、スルーホール２３（図１参照）を設ける。そして、上記間隔設定部を形成したボビンを備えるトランスを、上記穴部を設けた回路基板に実装する。
【０１３８】
但し、本発明に係る間隔設定部は、間隔設定部８（図１参照）、間隔設定部１０８（図１０参照）に限定されない。また、本発明に係る穴部は、スルーホール２３（図１参照）に限定されない。さらに、本発明に係る間隔設定部は、回路基板に形成してもよい。なお、本発明に係る間隔設定部を回路基板に形成する場合、穴部は、ボビンの底面に設ければよい。即ち、本発明に係るトランス回路基板の製造方法において形成する間隔設定部は、回路基板及びトランスのうちの一方に形成されていると共に、該回路基板及びトランスのうちの他方側に伸びる部材であり、該回路基板における該トランスの搭載面と平行である断面が、該先端部分側より該部材の根元部分側で大きくなっている構成であれば、特に限定はされない。また、本発明に係るトランス回路基板の製造方法において設ける穴部は、回路基板及びトランスのうちの他方に形成されていると共に、上記間隔設定部における他方側に伸びる部材が、該部材の先端部分から挿入可能である構成であれば、特に限定はされない。
【０１３９】
本発明に係るトランス回路基板は、以上の製造方法により、製造することが可能である。
【０１４０】
また、本発明に係るトランス回路基板の製造方法では、本発明に係る間隔設定部及び穴部の一方を形成したボビンを汎用のボビンとして作成し、本発明に係る間隔設定部及び穴部の他方を形成した回路基板を作成する。そして、本発明に係るトランス回路基板の製造方法では、該汎用のボビン及び回路基板に対して、図８、９に示す方法で、間隔設定部及び穴部による高さの最適化を実施する。本発明に係るトランス回路基板の製造方法では、これだけで、上記最適化が可能である。
【０１４１】
ボビンと回路基板との間隔は、穴部へ間隔設定部を挿入する度合いに応じて変化する。また、間隔設定部は、回路基板におけるトランスの搭載面と平行である断面が、先端部分側より根元部分側で大きくなっている部材として形成する。そのため、間隔設定部が先端部分から挿入される穴部は、間隔設定部を挿入する度合いを変更するだけで、ボビンと回路基板との間隔を容易に変更することが可能である。
【０１４２】
そこで、穴部を形成する工程では、ボビンに巻かれる巻線の太さに応じて、図８に示すとおり、該穴部の口径を設定すればよい。また、間隔設定部を複数個形成し、該複数個の間隔設定部に対応する穴部を複数個形成する場合、穴部を形成する工程では、図９に示すとおり、ボビンに巻かれる巻線の太さに応じて、隣り合う穴部のピッチを設定すればよい。
【０１４３】
これにより、低背化に関しては、ボビンに巻かれる巻線の太さの最大値に適合したボビンを汎用のボビンとして使用し、該巻線の太さに応じて、該穴部の口径を設定して、トランスの高さの調節することが可能となる。これにより、完成したトランス回路基板では、汎用のボビンの構造を若干変更することだけで、トランス回路基板の高さの最適化が実現可能である。また、ボビンの金型としては、汎用のものを１つ製造するだけで、トランス回路基板の高さの最適化が実現可能となる。
【０１４４】
また巻線の太さが互いに異なる複数のトランス回路基板を製造する場合であっても、ボビンの金型としては、汎用のものを１つ使用するだけで十分である。そのため、トランス回路基板を大量に生産する場合においては、製造コストを低減することができる。さらに、この場合は、巻線及びコアの設計を変更する必要がない。そのため、トランス回路基板自体の耐圧特性を維持したまま低背化することが可能となり、設計及び開発時間の短縮が期待できる。
【０１４５】
従って、低背化及び小面積化による小型化が実現可能であり、かつコストの増大を抑制することが可能であるという効果を奏する。
【０１４６】
〔実施の形態３〕
本発明のさらに他の実施形態について図１２に基づいて説明すると以下の通りである。
【０１４７】
図１２は、本発明に係るトランスが搭載されるスイッチング電源装置の構成例を示す図である。
【０１４８】
スイッチング電源装置は一般的に、商用交流電圧を整流・平滑化して得られた直流電圧をスイッチングし、高周波の交流電力に変換し、さらに所望の直流電圧へと高効率で整流する構成を有する。
【０１４９】
こうしたスイッチング電源装置の代表的な構成としては、トランスの１次側に印加される直流電圧をスイッチングするスイッチング素子を備え、トランスの２次側出力電圧を検出し、その検出結果に応じて制御回路がスイッチング素子のスイッチングパルス幅を制御することにより、所望の２次側出力電圧を得る構成としたスイッチング電源装置が存在する。
【０１５０】
図１２に示すスイッチング電源装置４００は、商用電源入力端子４０１、ブリッジダイオード４０２、入力平滑コンデンサ４０３、１次巻線ｎｐと２次巻線ｎｓとを有するトランス４０４、スイッチング素子４０５、ダイオード４０６、出力平滑コンデンサ４０７、及び出力端子４０８を備えている。
【０１５１】
商用電源入力端子４０１に入力された交流電圧は、図示しないフィルタ回路でノイズ成分を除去された後、ブリッジダイオード４０２によってブリッジ整流され、入力平滑コンデンサ４０３によって平滑化される。そして、入力平滑コンデンサ４０３によって平滑化された電圧は、ハイレベル側の電源ラインＨとローレベル側の電源ラインＬとの間に、平滑化電圧として印加される。
【０１５２】
電源ラインＨ、Ｌにはトランス４０４の１次巻線ｎｐとスイッチング素子４０５との直列回路が接続される。スイッチング素子４０５は、図示しない制御回路によってオン／オフ制御されており、スイッチング素子４０５のオン状態において、上記平滑化電圧はトランス４０４の１次巻線ｎｐに印加される。上記平滑化電圧がトランス４０４の１次巻線ｎｐに印加されると、トランス４０４の１次巻線ｎｐにエネルギー（励磁エネルギー）が蓄積され、その後スイッチング素子４０５のオフ状態において、該エネルギーは交流電圧としてトランス４０４の２次巻線ｎｓに伝達される。
【０１５３】
そして、２次巻線ｎｓに伝達された交流電圧は、ダイオード４０６によって半波整流され、出力平滑コンデンサ４０７によって平滑化された後、出力端子４０８を介して直流電圧として出力される。
【０１５４】
上述した実施の形態における、トランス１００及び２００は、例えば図１２に示すスイッチング電源装置４００のトランス４０４として好適に使用することができるものである。そして、図１２に示すスイッチング電源装置４００の各部材が同一の回路基板上にて実現される場合、該回路基板としては、電源回路基板２１、２１ａ〜２１ｄを好適に使用することができる。
【０１５５】
また、図１２に示すスイッチング電源装置４００は、薄型テレビ等に使用されるスイッチング電源装置として、好適に利用することができる。
【０１５６】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５７】
本発明は、薄型テレビ等に使用されるスイッチング電源装置に必要な、高出力対応のスイッチング電源装置用トランス、ならびに、該トランスを備えるスイッチング電源装置として好適に利用可能である。
【図面の簡単な説明】
【０１５８】
【図１】本発明の一実施形態を示すものであり、本発明に係るトランス回路基板において、トランスが回路基板に実装される様子を示す斜視図である。
【図２】本発明に係るトランスの構造の一例を示す図であり、該トランスへのコア挿入前における図である。
【図３】上記トランスの構造の一例を示す図であって、該トランスへのコア挿入後における図であり、図３（ａ）は、該トランスの上面を図示した平面図であり、図３（ｂ）は、該トランスの側面を図示した側面図であり、図３（ｃ）は、該トランスの下面を図示した下面図である。
【図４】上記トランスに設けられるボビンの構造を示す図であり、図４（ａ）は、該ボビンの上面を図示する平面図であり、図４（ｂ）は、該ボビンの側面を図示する側面図であり、図４（ｃ）は、該ボビンの下面を図示する下面図である。
【図５】上記トランスにおいて使用されるコアの一般的な構造を示す平面図であり、該コアの上面を図示する該平面図である。
【図６】従来技術に係るトランス回路基板において、トランスが回路基板に実装される様子を、該トランス回路基板の側面から図示する側面図である。
【図７】図１に係るトランス回路基板において、トランスが回路基板に実装される様子を、該トランス回路基板の側面から図示する側面図である。
【図８】間隔設定部及び穴部により、ボビンと回路基板との間隔を設定する方法の一例を示す図であり、図８（ａ）は、該穴部の口径と該間隔設定部の沈み込み位置との関係を示す斜視図であり、図８（ｂ）〜（ｄ）は、該間隔設定部が、該ボビンを支持する位置を示す側面図である。
【図９】間隔設定部及び穴部により、ボビンと回路基板との間隔を設定する方法の他の例を示す図であり、図９（ａ）〜（ｄ）は、該間隔設定部が、該穴部のピッチに基づいて、該ボビンと該回路基板との間隔を設定する方法を示す側面図である。
【図１０】本発明の他の実施形態を示すものであり、本発明に係る他のトランス回路基板において、トランスが回路基板に実装される様子を示す斜視図である。
【図１１】図１０に係るトランス回路基板において、トランスが回路基板に実装される様子を、該トランス回路基板の側面から図示する側面図である。
【図１２】本発明に係るトランス回路基板を備えるスイッチング電源装置の構成例を示す図である。
【図１３】従来技術に係るトランスの構造の一例を示す図であり、該トランスへのコア挿入前における図である。
【図１４】従来技術に係るトランスの構造の一例を示す図であって、該トランスへのコア挿入後における図であり、図１４（ａ）は、該トランスの上面を図示した平面図であり、図１４（ｂ）は、該トランスの側面を図示した側面図であり、図１４（ｃ）は、該トランスの下面を図示した下面図である。
【図１５】従来技術に係るトランス回路基板において、トランスが回路基板に実装される様子を示す斜視図である。
【符号の説明】
【０１５９】
１  ボビン
２  端子
３  巻線
８、１０８
間隔設定部
２１、２１ａ〜２１ｄ
電源回路基板（回路基板）
２３、２３ａ〜２３ｃ
スルーホール（穴部）
５０、１５０
トランス回路基板
１００、１００ａ、１００ｂ、２００、４０４
トランス
１０８ａ、１０８ｂ
円錐台部（階段状錐台部）
１０８ｃ
円錐部（錐体部）
４００  スイッチング電源装置
【図１】
2009123787.tif 000003
【図２】
2009123787.tif 000004
【図３】
2009123787.tif 000005
【図４】
2009123787.tif 000006
【図５】
2009123787.tif 000007
【図６】
2009123787.tif 000008
【図７】
2009123787.tif 000009
【図８】
2009123787.tif 000010
【図９】
2009123787.tif 000011
【図１０】
2009123787.tif 000012
【図１１】
2009123787.tif 000013
【図１２】
2009123787.tif 000014
【図１３】
2009123787.tif 000015
【図１４】
2009123787.tif 000016
【図１５】
2009123787.tif 000017